(57)【特許請求の範囲】
【請求項１】
開閉可能な外装ケース内に、粘着面を外側にして巻回した粘着ロールを回転と着脱が自在となるよう軸で支持して収納し、前記外装ケースを開くことによってこの外装ケース内に収納されている前記粘着ロールの一部を開いた外装ケースの外部に露出させるようにした携帯埃取り具において、
上記外装ケースが、両端に端壁を有する浅い弧状の容器で、下部に設置脚が設けられたベース部と、その両側にヒンジで開閉自在に取付けた一対の開閉蓋によって三つ割の開閉可能な構造に形成され、この外装ケース内に、粘着ロールを回転可能に外嵌装着する軸を、前記ベース部の端壁に設けた軸支持部で両端を支持することによって架設し、前記外装ケースは、ベース部の両側に開閉蓋を取付けるヒンジの高さ位置が、軸支持部間に架設した軸の軸心よりも下になるよう設定されて、開いた開閉蓋の外面が設置脚に当接するようにしたことを特徴とする携帯埃取り具。
【発明の詳細な説明】
【技術分野】
【０００１】
この発明は、バッグや鞄等に入れて携行し、主として衣服に付着した埃等を簡単確実に手早く除去することができるようにした携帯埃取り具に関する。
【背景技術】
【０００２】
例えば、外出時において、上着やズボン、スカート等に埃、ふけ等が付着していると見た目に不潔感があり、特に女性の場合はファッション性と清潔感を気にするため、自分の上着等に埃やふけが付着していないか常に気を配るようにしている。
【０００３】
従来、外出先で上着等に付着した埃やふけを除去するために、一方の方向への掻取り機能のあるシート状ブラシをバッグや鞄に入れて携行することが行われている。
【発明の開示】
【発明が解決しようとする課題】
【０００４】
ところで、シート状ブラシは見た目に体裁がわるく、人の目がある場所では特に女性は使いづらいものである。
【０００５】
また、シート状ブラシは、繊維を引っかくことになるので、強くこすると衣類の表面を傷めるという不安があり、しかも、使い勝手が悪く使用範囲が狭く限られ、小さな埃を取る機能が完全であるとはいえず、使い方によっては除去した埃が衣服に再付着するという問題がある。
【０００６】
そこで、この発明の課題は、見た目に化粧品と見間違うようなおしゃれな外観に形成することができ、人の目がある場所でも気にせずに衣服に付着した埃等を除去することができ、しかも、繊維を傷めることなく小さな付着物でも確実に除去して衣服への再付着の発生がない携帯埃取り具を提供することにある。
【課題を解決するための手段】
【０００７】
上記のような課題を解決するため、この発明は、開閉可能な外装ケース内に、粘着面を外側にして巻回した粘着ロールを回転と着脱が自在となるよう軸で支持して収納し、前記外装ケースを開くことによってこの外装ケース内に収納されている前記粘着ロールの一部を開いた外装ケースの外部に露出させるようにした携帯埃取り具において、
上記外装ケースが、両端に端壁を有する浅い弧状の容器で、下部に設置脚が設けられたベース部と、その両側にヒンジで開閉自在に取付けた一対の開閉蓋によって三つ割の開閉可能な構造に形成され、この外装ケース内に、粘着ロールを回転可能に外嵌装着する軸を、前記ベース部の端壁に設けた軸支持部で両端を支持することによって架設し、前記外装ケースは、ベース部の両側に開閉蓋を取付けるヒンジの高さ位置が、軸支持部間に架設した軸の軸心よりも下になるよう設定されて、開いた開閉蓋の外面が設置脚に当接するようにした構成を採用したものである。
【０００９】
ここで、外装ケースは、円軸状や角軸状の容器に形成され、合成樹脂を用いた簡素なものから、各種装飾を施した重厚で見た目に高級感のあるものまで、自由に選択することができ、また、粘着ロールは、一面側に粘着剤層と他面側に離形剤層を設けた粘着シートを外装ケース内に収まる外径の筒状に巻き上げて形成され、粘着シートにはその長さ方向に、ロール巻き時の外周長さに見合う間隔で切り取り線やミシン目を施し、使用によって外周面の粘着性がなくなるたびに外周の長さ分だけ切り取るようになっている。
【００１０】
上記外装ケースを開くことによって、粘着ロールは円筒の厚み分が開いた外装ケースの外部に露出するように軸に取付けられ、その全長の消費が可能になっていると共に、外装ケースは粘着ロールを衣類の表面に押し付けて転がすときの把持具の役目をすることになる。
【発明の効果】
【００１１】
この発明によると、粘着面を外側にして巻回した粘着ロールを回転と着脱が自在となるよう外装ケース内に収納し、この外装ケースを、ベース部とその両側の開閉蓋で三つ割の開閉可能な構造としたので、開いた開閉蓋を両側から把持することで、開いた開閉蓋が取手になり、粘着ロールを衣類の表面に押し付けて転がす携帯埃取り具の使用が、安定よく行えることになる。
【００１２】
また、三つ割り構造の外装ケースは、合成樹脂を用いた簡素なものから、各種装飾を施した高級感のあるものまで、自由に選択することができ、特に、高級感のある外装ケースとすることにより、女性のハンドバッグに入れても他の化粧品類と遜色がなく、人目のあるところでも全く気兼ねなしにバッグから取出して使用することができ、しかも、左右どちらの手でも広範囲に無理なく簡単に使用できる。
【発明を実施するための最良の形態】
【００１４】
以下、この発明の実施の形態を添付図面に基づいて説明する。
【００１５】
図示のように、携帯埃取り具１は、開閉可能な外装ケース２の内部に軸３を架設し、粘着剤面を外側にして巻回した粘着ロール４を前記軸３に回転と着脱が自在となるよう装着することにより外装ケース２内に収納し、前記外装ケース２を開くことにより、前記粘着ロール４の一部を開いた外装ケース２の外部に露出させることができるようにした構造になっている。
【００１６】
上記粘着ロール４は、外装ケース２内に収まる幅を有し、一面側に粘着剤層と他面側に離形剤層を設けた長い粘着シートを外装ケース２内に収まる外径のロール状に巻き上げて形成され、粘着シートにはその長さ方向に、ロール巻き時の外周長さに見合う間隔で切り取り線やミシン目を施し、使用によって外周面の粘着性がなくなるたびに外周の長さ分だけ切り取るようになっている。
【００１７】
この粘着ロール４は、外装ケース２内に収納した状態で外装ケース２の開閉蓋６ａを開くと、直径の略半分がベース部５ａの上面開口から外部に露出し、粘着ロール４の全長を有効に消費することができるようになっている。
【００１９】
図１と図２に示すこの発明の携帯埃取り具１は、開閉可能な外装ケース２が三つ割タイプであり、この外装ケース２は、両端に端壁１１を有する浅い弧状の容器となるベース部５ａと、両端が閉鎖された三分の一程度の円筒状容器となる一対の開閉蓋６ａを、ベース部５ａの両側縁の位置でヒンジ７によって結合し、ベース部５ａの上面開口を一対の開閉蓋６ａで開閉することができるようにしている。
【００２０】
閉位置にある両側一対の開閉蓋６ａは、衝合縁に設けた一対の係止具８で固定化することができるようになっている。
【００２１】
上記ベース部５ａは、下部四隅の位置に設置脚９が突設され、その内側で両端壁１１に軸支持部１０が設けられ、軸３をベース部５ａの上部の位置に水平に架設するようになっている。
【００２２】
上記軸３は、途中に設けたバネ１２で常時伸張する方向の弾性を付勢された伸縮自在となり、両端壁１１の軸支持部１０は、軸３の端部が嵌る支持孔１０ｃで形成され、軸３は伸縮によって軸支持部１０間に着脱自在となり、軸３に対する粘着ロール４の抜き差しが行えることになる。
【００２３】
この発明の携帯埃取り具は、一対の開閉蓋６ａをベース部５ａの下部両側に開くことにより、図２（ｂ）に示すように、開閉蓋６ａの外面が設置脚９に当接することで固定され、これを両側から把持することで、携帯埃取り具１の使用が安定よく行えることになる。
【００２４】
この発明の携帯埃取り具において、端壁１１の軸３から突出する上端部分をできるだけ短くし、粘着ロール４の全長を有効に消費することができるようにする。
【００２５】
上記粘着ロール４は、外装ケース２内に収まる幅を有し、一面側に粘着剤層と他面側に離形剤層を設けた長い粘着シートを外装ケース２内に収まる外径のロール状に巻き上げて形成され、粘着シートにはその長さ方向に、ロール巻き時の外周長さに見合う間隔で切り取り線やミシン目を施し、使用によって外周面の粘着性がなくなるたびに外周の長さ分だけ切り取るようになっている。
【００２６】
この粘着ロール４は、外装ケース２内に収納した状態で外装ケース２の開閉蓋６ａを開くと、直径の略半分がベース部５ａの上面開口から外部に露出し、粘着ロール４の全長を有効に消費することができるようになっている。
【００２９】
上記した発明の携帯埃取り具において、外装ケース２は、合成樹脂、金属、セラミック等の材料を単用もしくは組合わせて形成し、デザインと構造が簡素なものから、各種装飾を施した重厚で見た目に高級感のあるものまで、自由に設計製作することができる。
【００３０】
この発明の携帯埃取り具は、上記のような構成であり、内部に粘着ロール４を収納した外装ケース２の開閉蓋６ａを閉じた状態で、外出時にこの携帯埃取り具１を鞄やハンドバッグに入れて携行し、衣服に付着した埃等を除去する場合は、外装ケース２の開閉蓋６ａを開いてこれを指先で保持し、露出した粘着ロール４の外周面を衣服の表面に押し当てながら転がして移動させればよく、粘着ロール４の外周に位置する粘着剤層の粘着力で埃等を接着して衣服の表面から除去することができ、粘着剤層で細かい付着物まで確実に除去することができ、しかも、衣服の上を転がすだけであるので、衣服の繊維を傷めることがなく、広い面の付着物を効率よく除去することができる。
【００３１】
上記粘着ロール４の粘着力が低下すれば、外周の粘着シートをはがして一周分の長さだけ切り取ればよく、新たな粘着剤層で再び接着力を発現することができ、多数回の繰り返し使用ができる。
【００３２】
また、粘着ロール４の全長を消費した場合は、ベース部５ａから軸３を傾斜動もしくは取り外して粘着ロール４の巻き芯を抜き取り、新たな粘着ロール４を軸３に挿入してこれをベース部５ａに収めるようにすればよい。
【００３３】
上記のように、携帯埃取り具１は、外装ケース２を開き、粘着ロール４を衣類の表面に押し付けて転がすだけで、場所を選ばずどこでも簡単手軽に衣服の付着物を粘着剤層に移し取って除去することができ、衣服の清潔感を保つことができ、高級感のある外装ケース２とすることにより、女性のハンドバッグに入れても他の化粧品類と遜色がなく、人目のあるところでも全く気兼ねなしにバッグから取出して使用することができる。
【図面の簡単な説明】
【００３４】
【図１】（ａ）はこの発明に係る携帯埃取り具を示す斜視図、（ｂ）は同携帯埃取り具の開閉蓋を開いた状態を示す分解斜視図
【図２】（ａ）はこの発明に係る携帯埃取り具の開閉蓋を閉じた状態を示す縦断正面図、（ｂ）は（ａ）の矢印ｂ−ｂに沿った縦断側面図
【符号の説明】
【００３５】
１      携帯埃取り具
２      外装ケース
３      軸
４      粘着ロール
５ａ    ベース部
６ａ    開閉蓋
７      ヒンジ
８      係止部
９      設置脚
１０    軸支持部
１１    端壁
【図１】
0004176784.tif 000002
【図２】
0004176784.tif 000003